(57)【要約】【課題】遊技媒体が遊技媒体通路部材にあって、遊技媒体通路部材が傾動している際、又は傾動して所定の位置に停止した際に遊技媒体が遊技媒体通路部材上から予め定められた位置以外から落下する虞を低減することが可能である遊技機を提供する。【解決手段】通路本体部３００と複数の出口部３１０、３２０と、出口部からの遊技媒体の排出が可能な第一状態と、遊技媒体の排出が困難或いは不能な第二状態とに変位可能な変位部材４１０、４２０とを有し、移動可能な遊技媒体通路部材８３を備え、少なくとも一つの出口部から前記遊技媒体を排出するように定められた遊技媒体排出時は、その出口部の変位部材を第一状態に変位すると共に、その他の出口部の変位部材を第二状態に変位し、遊技媒体排出時以外は、変位部材の全てを第二状態に変位するようにして、遊技機１を構成した。【選択図】図１２
2015037448.tif 000002
【特許請求の範囲】
【請求項１】
遊技媒体を排出する排出口と、
前記排出口から排出された前記遊技媒体を受け入れ複数の進路に分岐させるための移動可能な遊技媒体通路部材と、
前記遊技媒体通路部材から排出される前記遊技媒体の複数の進路に対応する所定の位置に配置されている複数の受入口と、
を備えた遊技機において、
前記遊技媒体通路部材は、
前記排出口から前記遊技媒体を受け入れるための入口部と、
前記入口部から受け入れた前記遊技媒体を保持するための通路本体部と、
前記通路本体部の外部に遊技媒体を排出するための複数の出口部と、
前記複数の出口部の各々に設けられ、前記出口部からの前記遊技媒体の排出が可能な第一状態と、前記出口部からの前記遊技媒体の排出が困難或いは不能な第二状態とに変位可能に形成されている、複数の変位部材と、
を備え、
前記遊技媒体通路部材は、前記各出口部によって異なる複数の所定の排出位置で前記各出口部から前記遊技媒体を排出するために、前記複数の所定の排出位置を通るように移動可能であり、
前記複数の出口部の中の少なくとも一つの出口部から前記遊技媒体を排出するように定められた遊技媒体排出時は、前記出口部の前記変位部材を前記第一状態に変位すると共に、その他の出口部の前記変位部材が前記第二状態に変位し、
前記遊技媒体排出時以外の時は、前記複数の変位部材の全てを前記第二状態に変位するように構成されていることを特徴とする遊技機。
【請求項２】
前記遊技媒体通路部材が移動している状態である遊技媒体通路部材移動時は、前記複数の変位部材の全てを前記第二状態に変位させ、
前記遊技媒体排出時は、所定の排出位置で前記遊技媒体通路部材の移動を停止し、前記所定の出口部の前記変位部材を前記第一状態に変位して前記遊技媒体を排出するように構成されていることを特徴とする請求項１記載の遊技機。
【請求項３】
前記複数の受入口は、前記各出口部の排出位置に対応する複数の位置にそれぞれ設けられていることを特徴とする請求項１又は２記載の遊技機。
【請求項４】
前記遊技媒体通路部材は前記通路本体部が傾動して端部側が上下に移動可能であり、
前記遊技媒体排出時に、前記遊技媒体が排出される所定の出口部が他の出口部よりも下方となる位置を排出位置として、前記遊技媒体の排出を行うこと特徴とする請求項１〜３のいずれか１項に記載の遊技機。
【請求項５】
前記複数の変位部材を前記第一状態と前記第二状態に変位させるための変位機構を備え、
前記変位部材が、前記通路本体部の内側に進入して前記遊技媒体の前記出口部からの排出を困難とする突出部と、前記突出部を移動させるための作動部とを備え、
前記変位機構は、作動時に複数の前記変位部材の全ての前記作動部を一方向に移動させて、前記変位部材の全てが前記通路部材から退避する方向に変位するように作用し、
前記変位機構は、前記第一状態では、前記突出部が前記通路本体部の内部から退避した状態となり、前記第二状態では、前記突出部の少なくとも一部が前記通路本体部の内部に進入した状態となるように、前記変位部材の作動部を作動させることを特徴とする請求項１〜４のいずれか１項に記載の遊技機。
【請求項６】
前記遊技媒体通路部材の前記通路本体部が水平な状態では、前記複数の変位部材の変位量が同じであるが、前記通路本体部が傾いた状態では、下方側の変位部材の変位量が上方側の変位部材よりも大きくなると共に、
前記遊技媒体排出時における、前記遊技媒体を排出する出口部の変位部材は、前記突出部が前記通路本体部から退避した第一状態の変位量となり、前記その他の出口部の変位部材は、前記通路本体部から完全に退避せずに、少なくとも突出部の一部が前記通路本体部に進入して第二状態の変位量となるように、
前記変位機構が前記作動部を移動させることが可能であることを特徴とする請求項５記載の遊技機。
【発明の詳細な説明】
【技術分野】
【０００１】
本発明は、パチンコ遊技機等の遊技機に関する。
【背景技術】
【０００２】
従来、例えばパチンコ遊技機等の遊技機において、パチンコ球等の遊技媒体を排出する排出孔と、該排出孔の下方に配置されると共に相互に傾動可能な遊技媒体通路部材と、前記遊技媒体通路部材の両端側に各々配置された第一入口及び第二入口とを備えた遊技機が公知である［例えば特許文献１（第５１〜５２頁、図５４等）参照］。
【０００３】
上記遊技機では、前記排出孔から排出された遊技媒体を前記遊技媒体通路部材が受け止めて、交互に傾動することにより前記遊技媒体通路部材上で遊技媒体を遊動し、前記遊技媒体通路部材を前記第一入口側又は前記第二入口側の何れかに向けて所定角度傾けることにより、前記遊技媒体通路部材上に乗っている遊技媒体を前記第一入口又は前記第二入口の何れかに誘導する演出装置を備えたものである。
【先行技術文献】
【特許文献】
【０００４】
【特許文献１】特開２００９−２７３４９５号公報
【発明の開示】
【発明が解決しようとする課題】
【０００５】
しかしながら上記従来技術は、例えば、遊技媒体が遊技媒体通路部材にあって、遊技媒体通路部材が傾動している際、又は傾動して所定の位置に停止した際に、遊技媒体が遊技媒体通路部材の予め定められた所定の位置以外から落下してしまう虞があるという問題があった。
【０００６】
本発明は、上記問題点に鑑みなされたもので、遊技媒体が遊技媒体通路部材にあって、遊技媒体通路部材が移動している際、又は移動して所定の位置に停止した際に遊技媒体が遊技媒体通路部材上から予め定められた位置以外から落下する虞を低減することが可能である遊技機を提供することを目的とするものである。
【課題を解決するための手段】
【０００７】
上記課題を解決するために、本発明遊技機は、請求項1に記載のように、
遊技媒体を排出する排出口と、
前記排出口から排出された前記遊技媒体を受け入れ複数の進路に分岐させるための移動可能な遊技媒体通路部材と、
前記遊技媒体通路部材から排出される前記遊技媒体の複数の進路に対応する所定の位置に配置されている複数の受入口と、
を備えた遊技機において、
前記遊技媒体通路部材は、
前記排出口から前記遊技媒体を受け入れるための入口部と、
前記入口部から受け入れた前記遊技媒体を保持するための通路本体部と、
前記通路本体部の外部に遊技媒体を排出するための複数の出口部と、
前記複数の出口部の各々に設けられ、前記出口部からの前記遊技媒体の排出が可能な第一状態と、前記出口部からの前記遊技媒体の排出が困難或いは不能な第二状態とに変位可能に形成されている、複数の変位部材と、
を備え、
前記遊技媒体通路部材は、前記各出口部によって異なる複数の所定の排出位置で前記各出口部から前記遊技媒体を排出するために、前記複数の所定の排出位置を通るように移動可能であり、
前記複数の出口部の中の少なくとも一つの出口部から前記遊技媒体を排出するように定められた遊技媒体排出時は、前記出口部の前記変位部材を前記第一状態に変位すると共に、その他の出口部の前記変位部材が前記第二状態に変位し、
前記遊技媒体排出時以外の時は、前記複数の変位部材の全てを前記第二状態に変位するように構成されていることを要旨とするものである。
【０００８】
また本発明遊技機は、請求項２に記載のように、請求項１に係り、
前記遊技媒体通路部材が移動している状態である遊技媒体通路部材移動時は、前記複数の変位部材の全てを前記第二状態に変位させ、
前記遊技媒体排出時は、所定の排出位置で前記遊技媒体通路部材の移動を停止し、前記所定の出口部の前記変位部材を前記第一状態に変位して前記遊技媒体を排出するように構成されていることを要旨とするものである。
【０００９】
また本発明遊技機は、請求項３に記載のように、請求項１又は２に係り、
前記複数の受入口は、前記各出口部の排出位置に対応する複数の位置にそれぞれ設けられていることを要旨とするものである。
【００１０】
また本発明遊技機は、請求項４に記載のように、請求項１〜３のいずれか１項に係り、
前記遊技媒体通路部材は前記通路本体部が傾動して端部側が上下に移動可能であり、
前記遊技媒体排出時に、前記遊技媒体が排出される所定の出口部が他の出口部よりも下方となる位置を排出位置として、前記遊技媒体の排出を行うことを要旨とするものである。
【００１１】
また本発明遊技機は、請求項５に記載のように、請求項１〜４のいずれか１項に係り、
前記複数の変位部材を前記第一状態と前記第二状態に変位させるための変位機構を備え、
前記変位部材が、前記通路本体部の内側に進入して前記遊技媒体の前記出口部からの排出を困難とする突出部と、前記突出部を移動させるための作動部とを備え、
前記変位機構は、作動時に複数の前記変位部材の全ての前記作動部を一方向に移動させて、前記変位部材の全てが前記通路部材から退避する方向に変位するように作用し、
前記変位機構は、前記第一状態では、前記突出部が前記通路本体部の内部から退避した状態となり、前記第二状態では、前記突出部の少なくとも一部が前記通路本体部の内部に進入した状態となるように、前記変位部材の作動部を作動させることを要旨とするものである。
【００１２】
また本発明遊技機は、請求項６に記載のように、請求項５に係り、
前記遊技媒体通路部材の前記通路本体部が水平な状態では、前記複数の変位部材の変位量が同じであるが、前記通路本体部が傾いた状態では、下方側の変位部材の変位量が上方側の変位部材よりも大きくなると共に、
前記遊技媒体排出時における、前記遊技媒体を排出する出口部の変位部材は、前記突出部が前記通路本体部から退避した第一状態の変位量となり、前記その他の出口部の変位部材は、前記通路本体部から完全に退避せずに、少なくとも突出部の一部が前記通路本体部に進入して第二状態の変位量となるように、
前記変位機構が前記作動部を移動させることが可能であることを要旨とするものである。
【発明の効果】
【００１３】
請求項１に記載の発明は、遊技媒体を排出する排出口と、遊技媒体を複数の進路に分岐させるための移動可能な遊技媒体通路部材と、前記複数の進路に対応する複数の受入口を備えた遊技機において、前記遊技媒体通路部材は、入口部と、通路本体部と、複数の出口部と、複数の変位部材とを備え、該変位部材は、前記複数の出口部の各々に設けられ、前記出口部からの前記遊技媒体の排出が可能な第一状態と、前記前記出口部からの前記遊技媒体の排出が困難或いはな第二状態とに変位可能に形成され、前記遊技媒体通路部材が、複数の出口部の中の少なくとも一つの出口部から前記遊技媒体を排出するように定められた遊技媒体排出時は、前記出口部の前記変位部材を前記第一状態に変位すると共に、その他の出口部の前記変位部材が前記第二状態に変位し、前記遊技媒体排出時以外の時は、前記複数の変位部材の全てを前記第二状態に変位するように構成されていることにより、上記変位部材によって遊技媒体を通路本体部の特定の出口部から排出させることができ、更に遊技媒体が通路本体部の出口部以外から外部に飛び出して落下してしまう虞を低減することができる。
【００１４】
請求項２に記載の発明は、遊技媒体通路部材移動時は、前記複数の変位部材の全てを前記第二状態に変位させ、遊技媒体排出時は、所定の排出位置で前記遊技媒体通路部材の移動を停止し、前記所定の出口部の前記変位部材を前記第一状態に変位して前記遊技媒体を排出するように構成したことにより、所定の出口部から遊技媒体をスムーズに排出することが可能である。
【００１５】
請求項３に記載の発明は、前記複数の受入口は、前記各出口部の排出位置に対応する複数の位置にそれぞれ設けられていることにより、出口部から排出された遊技媒体をスムーズに受入口に受入れることができる。
【００１６】
請求項４に記載の発明は、前記遊技媒体通路部材は前記通路本体部が傾動して端部側が上下に移動可能であり、前記遊技媒体排出時に、前記遊技媒体が排出される所定の出口部が他の出口部よりも下方となる位置を排出位置として、前記遊技媒体の排出を行うものであるから、通常位置では通路本体部内から遊技媒体が排出される虞が低減されると共に、通路本体部が傾いた位置においても所定位置以外で通路本体部から遊技媒体が排出される虞が低減することが可能である。更に、遊技媒体が低い方へ転動して出口部から容易に排出されると共に、出口部以外の他の出口部は高い位置にあるので遊技媒体が排出される虞を低減することができる。
【００１７】
請求項５に記載の発明は、前記複数の変位部材を前記第一状態と前記第二状態に変位させるための変位機構を備え、前記変位部材が通路本体部の内側に進入して前記遊技媒体の前記出口部からの排出を困難とする突出部と、前記突出部を移動させるための作動部とを備え、前記変位機構は、作動時に複数の前記変位部材の全ての前記作動部を一方向に移動させて、前記変位部材の全てが前記通路部材から退避する方向に変位するように作用し、前記変位機構は、前記第一状態では、前記突出部が前記通路本体部の内部から退避した状態となり、前記第二状態では、前記突出部の少なくとも一部が前記通路本体部の内部に進入した状態となるように、前記変位部材の作動部を作動させるように構成したことにより、変位部材を第一状態と第二状態とに変位させることが可能である。
【００１８】
請求項６に記載の発明は、前記遊技媒体通路部材の前記通路本体部が水平な状態では、前記複数の変位部材の変位量が同じであるが、前記通路本体部が傾いた状態では、下方側の変位部材の変位量が上方側の変位部材よりも大きくなると共に、前記遊技媒体排出時における、前記遊技媒体を排出する出口部の変位部材は、前記突出部が前記通路本体部から退避した第一状態の変位量となり、前記その他の出口部の変位部材は、前記通路本体部から完全に退避せずに、少なくとも突出部の一部が前記通路本体部に進入して第二状態の変位量となるように、前記変位機構が前記作動部を移動させることが可能であるので、第一状態時には遊技媒体が突出部に干渉される虞を低減して出口部から排出することが可能である一方、第二状態時には通路本体部内に突出部があるために、遊技媒体が突出部に当接し出口部から排出される虞を低減することが可能である。
【図面の簡単な説明】
【００１９】
【図１】図１は本発明の遊技機の一実施例である遊技盤の正面図である。
【図２】図２は遊技盤の背面図である。
【図３】図３は入球口と第一連絡通路を示す断面図である。
【図４】図４は遊技盤の一部の部品を省略した状態を示す正面図である。
【図５】図５は図４の外観斜視図である。
【図６】図６は第二連絡通路の外観斜視図である。
【図７】図７（ａ）〜（ｃ）は、第三連絡通路の通路本体部を示し、（ａ）は正面図であり、（ｂ）は（ａ）の背面図であり、（ｃ）は（ａ）の上面図である。
【図８】図８は、第二通路部材と第三通路部材以外の部品を省略した遊技盤の正面図である。
【図９】図９は通路本体部と変位部材と変位機構の要部を模式的に示す背面図であり、（ａ）は変位部材が第二状態を示し、（ｂ）は変位部材が第一状態を示している。
【図１０】図１０は図７（ｂ）のＢ−Ｂ線水平断面図である。
【図１１】図１１は図８の第二通路部材と第三通路部材の部分の拡大図である。
【図１２】図１２は図１１の第三通路部材を傾動させた状態を示す図である。
【図１３】図１３は図９（ａ）の通路本体部を傾動させて遊技球を排出する状態を示す説明図である。
【図１４】図１４は回動体演出装置を示す正面図である。
【発明を実施するための形態】
【００２０】
以下、本発明の実施例について図面を用いて詳細に説明する。図１は本発明の遊技機の一実施例である遊技盤の正面図である。図１に示すように、本実施例では遊技機１は、パチンコ遊技機に用いられる遊技盤９０であり、遊技媒体としては、遊技球（パチンコ球と呼ばれることもある）を用いるものである。なお、以下の説明において前側（前方）とは遊技機１の正面側のことであり、後側（後方）とは遊技機１の背面側のことであり、上側（上方）とは遊技機１の上側のことであり、下側（下方）とは遊技機１の下側のことである。また左右という場合、遊技機を正面から見た場合の右側、左側のことである。
【００２１】
遊技機１の全体構成について簡単に説明する。遊技機１の骨格は周知の構成が適用できる。例えば、遊技機１は、特に図示しないが、額縁形状の機枠に前面枠が回動自在に支持されてなる。上記前面枠には、遊技盤９０が脱着可能に取り付けられている。更に前面枠には、前側から遊技盤９０を視認可能とする透明な板が設けられている。また遊技機１には、遊技球を遊技盤９０の遊技領域へ発射するための遊技球や、払い出された遊技球を入れる上皿、上皿に入りきらない遊技球を貯めることが可能な下皿、遊技球を発射操作するためのタッチスイッチを備える発射ハンドル等が設けられている。
【００２２】
図１に示す遊技盤９０は、ほぼ正方形の合板により成形されており、前面枠に着脱可能に取り付けられている。この遊技盤９０には、発射装置から発射された遊技球をガイドする金属製の薄板からなる帯状のガイドレール９１が略円弧形状となるように設けられており、このガイドレール９１によって遊技領域の外郭の一部が形成されている。
【００２３】
遊技盤９０の遊技領域（通常時に遊技球が進入可能な領域）には、表示装置９２、始動入賞口９３１、大入賞口９３２、アウト口９３３などが設けられている。
【００２４】
表示装置９２は、例えば液晶表示装置が用いられる。表示装置９２の表示画面（表示部）には、特別図柄や普通図柄等が表示される。かかる表示装置９２の表示画面は、遊技盤９０に成された開口を通じて視認可能である。
【００２５】
また、遊技盤９０の遊技領域には、遊技釘（図示しない）が、複数設けられている。遊技領域を流下する遊技球は、遊技釘に衝突したときの条件に応じて、落下する経路が様々な態様で変化する。
【００２６】
遊技盤９０には、表示装置９２の表示画面の上方左側に、所定の条件を満たしたときに入球可能となる入球口８０が設けられている。入球口８０は、通常時は羽根部材８０１により閉鎖されていて、入球口８０に遊技球が入球することはない。入球口８０は、所定の条件を満たしたときに羽根部材８０１が開放し、遊技球が入球することが可能となる。
【００２７】
入球口８０には、第一連絡通路８１、第二連絡通路８２、第三連絡通路８３、が、順次、接続されている。更に第三連絡通路８３には、回動体演出装置２が接続されている。回動体演出装置２は、表示装置９２の下方に配置されている。回動体演出装置２には、入球口８０から上記連絡通路８１、８２、８３を経由した遊技球が進入することが可能であるが、それ以外の経路からは遊技球が進入しないようになっている。
【００２８】
図２は遊技盤の背面図である。図２に示すように、遊技盤９０の背面側には、センターベースユニット９４が設けられている。センターベースユニット９４には、主制御基板９４１、サブ制御基板９４２、演出制御基板９４３、サブドライブ基板９４４等の各種制御基板（以下これらを一括りにして制御手段と称することもある）や、特に図示しないが、発射装置、球タンク、球払出装置、レール等が取付けられている。
【００２９】
遊技機１では、発射ハンドルの操作により、発射装置から遊技領域に遊技球を発射して、遊技領域を流下させることができる。遊技領域を流下する遊技球が、始動入賞口９３１や大入賞口９３２等の入賞口に入賞すると、所定の数の賞球が払出装置により払い出される。遊技球が上記入賞口に入らなかった場合にはアウト口９３３から排出される。
【００３０】
遊技機１が所定の条件を満たしたとき、羽根部材８０１が動作して入球口８０が開放される。上記所定の条件を満たしたときとは、例えば、通常遊技中に回動体演出装置２でリーチ演出を実行することが決定された場合や、大当たりラウンド中に当該大当たりが確変大当たりか否かを報知する演出を回動体演出装置２で実行することが決定された場合等が挙げられる。
【００３１】
図３は図１の遊技盤の入球口と第一連絡通路を示す断面図である。図３は羽根部材８０１が動作して、入球口８０が開放した状態を示している。図３に示すように、羽根部材８０１は、下側が回動軸として上側を左方向に傾けて、入球口８０を開放するように形成されている。開放された入球口８０は、左上方が開口した状態となる。入球口は、遊技球Ｂが容易に入球することが可能な大きさに開放される。
【００３２】
図３に示すように入球口８０は、第一連絡通路８１の上方端部に設けられている。第一連絡通路８１は、図１に示すように、表示装置９２を避けて遊技球Ｂを第二連絡通路に導入するために、表示装置９２の左側に沿うように設けられている。第一連絡通路８１は、筒状の通路部として形成され、１個の遊技球が容易に通過可能な大きさに形成されている。第一連絡通路の下方には、遊技球Ｂを第二連絡通路８２に送る出口８１１が設けられている。
【００３３】
図４は図１の遊技盤の一部の部品を省略した状態を示す正面図であり、図５は図４の外観斜視図であり、図６は第二連絡通路の外観斜視図である。図４〜図６に示すように、第二連絡通路８２は、第一連絡通路８１の出口８１１から排出された遊技球を流入する入口８２３と、二つの進行方向に分岐させる分岐部８２０を有する。
【００３４】
図６に示すように分岐部８２０は、排出口８２４に遊技球を送る貯留部８２１と、出口８２５に遊技球を送る排出通路８２２に分岐している。貯留部８２１の排出口８２４は、第三連絡通路８３の入口部３０１に遊技球を送るようになっている。排出通路８２２は下方に向かう通路として形成されている。排出通路８２２の下端部に出口８２５が設けられ、該出口８２５から排出された遊技球は、遊技盤９０のアウト口９３３（図１参照）から排出される。
【００３５】
図６に示すように、貯留部８２１は、分岐部８２０と排出口８２４との間に三個の遊技球を貯留可能に形成されている。図４及び図５に示すように、第二連絡通路８２の貯留部８２１は、排出口８２４側が少しだけ低くなるように形成されていて、遊技球が排出口８２４側に転動するようになっている。
【００３６】
第二連絡通路８２は、入口８２３から貯留部８２１と排出通路８２２までの間、遊技球が一個ずつ転動することが可能な大きさの筒状に形成されている。第二連絡通路８２は、全体が筒状に形成されているので、内部の遊技球が、貯留部の排出口８２４又は排出通路の出口８２５以外の通路部分から外に飛び出さないようになっている。
【００３７】
貯留部８２１の分岐部８２０側と排出口８２４側には、特に図示しないが、通路内の遊技球Ｂの転動を任意に停止可能とするための開閉部材が設けられている。開閉部材は、通常は閉じた状態になっていて、所定の条件で開くことが可能である。開閉部材を制御することにより、第二連絡通路８２に送られた遊技球を、分岐部８２０で貯留部８２１と排出部８２２のどちらに送るかの選択、遊技球を貯留部８２１から第三連絡通路８３へ送り出す時期、第三連絡通路８３へ一度に送る個数等の制御を行うことが可能である。
【００３８】
第三連絡通路８３は、第二連絡通路８２の遊技球の排出口８２４から排出された遊技球を受け入れた後、駆動機構３５０（後述する）で移動させて、遊技球を二つの進路に振分けることが可能に形成されている。第三連絡通路８３は、本発明における遊技媒体通路部材の一実施形態である。
【００３９】
図７（ａ）〜（ｃ）は、第三連絡通路の通路本体部を示し、（ａ）は正面図であり、（ｂ）は（ａ）の背面図であり、（ｃ）は（ａ）の上面図である。図８は、第二連絡通路と第三連絡通路以外の部品を省略した遊技盤の正面図である。第三連絡通路８３は、図７（ａ）〜（ｃ）及び図８に示すように、左右方向を長手方向とする筒状に形成され、遊技球を保持することが可能な通路本体部３００と、該通路本体部３００を左右に傾動させるための駆動機構３５０と、通路本体部の通路３０５内に遊技球を保持し排出することを可能とするための変位部材４１０、４２０と、該変位部材を駆動する変位機構４５０等を有している。
【００４０】
通路本体部３００には、前記第二連絡通路８２の排出口８２４から遊技球を受け入れるための遊技球の入口部３０１が設けられている。通路本体部３００は、側面及び上面が覆われている筒状に形成されている。上記入口部３０１は、通路本体部３００の背面と上面の一部が、遊技球が通過可能な大きさに切り欠いた開口として形成されている。通路本体部３００は、内部に受け入れた遊技球を遊技者が外部から視認することが可能となるように、透明に形成されている。
【００４１】
尚、通路本体部３００の両端部に設けられている部材は、電話の受話器と通話口を模した形状に形成されていて、通路本体部の機能とは直接関係のない単なる装飾部材である。
【００４２】
通路本体部３００は、外部に遊技球を排出するために、左側の第一出口部３１０と右側の第二出口部３２０の二つの出口部が設けられている。二つの出口部は筒状体の一部を、一個の遊技球が容易に通過可能な開口として形成されている。出口部３１０、３２０は、通路本体部３００の前面側に開口している。更にこの二つの出口部３１０、３２０のところに、通路本体部３００に受け入れた遊技球を保持することが可能とすると共に、出口部から遊技球を排出するために、通路本体部の出口部を開閉可能とする第一出口部の変位部材４１０（左側の変位部材ということもある）、第二出口部の変位部材４２０（右側の変位部材ということもある）が、それぞれ設けられている。
【００４３】
図９は通路本体部と変位部材と変位機構の要部を模式的に示す背面図であり、（ａ）は変位部材が第二状態を示し、（ｂ）は変位部材が第一状態を示している。図１０は図７（ｂ）のＢ−Ｂ線水平断面図である。図７（ｂ）、図９（ａ）、図１０に示すように、変位部材４１０、４２０は、通路本体部３００の通路３０５内に進入して遊技球の出口部３１０、３２０からの排出を困難とする突出部４１２、４２２と、突出部を移動させるための作用部４１３、４２３と、突出部と作用部をつなぐ支持部４１１、４２１とを備えている。右側の変位部材４２０と左側の変位部材４１０は、ほぼ左右対称に近い形状に形成されていて、基本的に共通する要素から構成されている。
【００４４】
前記突出部４１２、４２２は、通路本体部３００の底面を貫通する切り欠き部３０３、３０４から、通路本体部３００の内部に挿抜することが可能な板状体からなる。突出部４１２、４２２は、変位部材４１０、４２０が第二状態となった場合に、通路本体部３００内を遊技球が通過できないように塞ぐことが可能な大きさに形成されている。通路本体部３００の突出部４１２と突出部４２２の間が、遊技球を保持して左右に揺動させることが可能な通路３０５となっている。
【００４５】
支持部４１１、４２１は通路本体部３００の背面に回動可能に軸止される軸止部４１４、４２４を備えている。作用部４１３、４２３は、変位機構４５０の押出部４５１により押圧可能な位置に形成されている。軸止部４１４、４２４は作用部と突出部との間に設けられている。変位部材４１０、４２０は、軸止部４１４、４２４が支持され、つる巻きばね４１５、４２５により突出部４１２、４２２が通路３０５内部に突出した状態に、付勢されている。変位部材４１０、４２０は、軸止部４１４、４２４を中心として支持部４１１、４２１が上方に移動する方向に回動可能に軸止されている。
【００４６】
図９（ｂ）に示すように、変位機構４５０を駆動して、変位機構の押出部４５１が変位部材４１０、４２０の作用部４１３、４２３をばねの付勢に抗して上方に押し上げると、変位部材４１０、４２０は軸止部４１４、４２４を中心に回動する。変位部材４１０、４２０は、突出部４１２、４２２が下方に変位して、通路３０５内部から退避した状態となる。突出部４１２、４２２のほぼ全体が通路内部から退避した状態になると、出口部３１０、３２０が開いた状態になり、出口部３１０、３２０から遊技球を送出可能となる。
【００４７】
図１１は図８の第二通路部材と第三通路部材の部分の拡大図であり、図１２は図１１の第三通路部材を傾動させた状態を示す図である。変位機構４５０は、図８、図１１、図１２に示すように、通路本体部３００の下方に配置されている。変位機構４５０は、上述した変位部材４１０、４２０の作用部を押出すための押出部４５１と、ソレノイド４５２と可動部４５３等を備える駆動部４５４と、押出部４５１と駆動部４５４を繋ぐ連結部４５５を有する。駆動部４５４はソレノイド４５２に通電すると可動部４５３が下方に移動するように形成されている。連結部４５５は中間部分が回動可能に軸支されていて、斜上方に押出部４５１が接続されている。押出部４５１は方形の部材からなり、上下動可能に取付けられている。押出部４５１は上下動する際、垂直方向上下に移動するように案内されている。
【００４８】
駆動部４５４のソレノイド４５２に通電して可動部４５３が吸引され下方に移動すると、連結部４５５が軸を中心に回動し、押出部４５１が垂直上方に押出される。押出部４５１は変位部材４１０、４２０の作用部４１３、４２３に当接しているので、変位部材４１０、４２０がばねで付勢された状態に抗して、作用部４１３、４２３を押上げる。図９（ｂ）に示すように、作用部４１３、４２３が上方に移動すると、変位部材４１０、４２０は軸止部４１４、４２４を軸に回動し、突出部４１２、４２２を下方に移動させる。突出部４１２、４２２が下方に移動して通路本体部３００の内部から退避すると、出口部３１０、３２０が開放された状態となる。この状態は、出口部３１０、３２０が開放されて、出口部３１０、３２０からの遊技球の排出が可能な状態（第一状態）である。
【００４９】
駆動機構４５０のソレノイド４５２の通電が停止すると、可動部４５３が下方に吸引されないようになる。変位部材４１０、４２０のばね力により、突出部４１２、４２２が通路本体部３００の内部に突出する方向に付勢される。図９（ａ）に示すように、変位部材４１０、４２０は突出部４１２、４２２が通路本体部３００の内部に突出した状態に戻る。この状態は、出口部３１０、３２０が閉鎖されて遊技球の排出が困難な状態（第二状態）である。尚、変位部材４１０、４２０は、通常は、この第二状態になっている。上記のように、変位機構４５０を作動させることで、変位部材４１０、４２０が第一状態と第二状態の間を変位するように動かすことができる。
【００５０】
通路本体部３００は、駆動機構３５０により、図１１に示す水平状態から、図１２に示すように、左側が下方となるように傾けることが可能である。また図示しないが、上記と反対に、通路本体部３００の右側が下方となるように傾けることができる。また通路本体部３００は、シーソーのように、左右が交互に傾くように動かすこともできる。このように通路本体部３００が水平状態から左右の端部が傾くように移動することや、傾いた状態から水平に戻るように移動することを「傾動」と呼ぶ。
【００５１】
図７（ｂ）、（ｃ）に示すように、通路本体部３００の背面側のほぼ中央付近には、回動軸３３１が設けられている。通路本体部３００は、回動軸３３１を用いて遊技盤に傾動可能に軸止されている。また通路本体部３００の右側背面側に、図７（ｃ）に示すように、後方に突出する駆動ピン３３２が設けられている。駆動機構３５０は上記駆動ピン３３２を上下に移動させることで、通路本体部３００を傾動可能に構成されている。以下、通路本体部３００を傾動させるための駆動機構３５０について説明する。
【００５２】
図１１に示すように、通路本体部３００を傾動させるための駆動機構３５０が該通路本体部３００の右側下方に設けられている。駆動機構３５０は、上下動が可能に形成されていて通路本体部３００の駆動ピン３３２に接続して駆動するための変動板３５１と、該変動板３５１を上下に移動させるためのモータとギヤ等の組み合わせからなる駆動部３５２から構成されている。
【００５３】
上記変動板３５１は、上端部に通路本体部３００の駆動ピン３３２が挿通する係合部３５３と、該係合部３５３の下側に遊技盤の軸体９５１が挿通する縦長の長溝３５４が設けられた支持板３５５と、該支持板３５５の下方に設けられていて、駆動部３５２と接続される接続部３５６とを有している。駆動機構３５０は、変動板３５１の上下方向中程に設けた長溝３５４の部分が、遊技盤の軸体９５１に固定されている。駆動部３５２のモータを一方に回転させると、変動板３５１が上方に移動し、モータを逆回転させると、変動板３５１は下方に移動する。
【００５４】
図１１に示すように、通路本体部３００をほぼ水平に保持して、左右の端部の高さが同じ位置となっている状態から、駆動部３５２のモータを駆動して変動板３５１を上方に移動させる。図１２に示すように、変動板３５２が上方に移動すると、通路本体部３００の右側後方の変動板３５２に係合している駆動ピン３３２が、通路本体部３００の右側を上方に移動させる。通路本体部３００は、ほぼ中央付近が回動軸３３１により遊技盤に回動可能に軸止されているので、回動軸３３１を中心として反時計方向に回動して、右側が高くなり、左側が低くなるように傾動する。
【００５５】
また図１２に示す状態と反対に、通路部材３００の右側が低くなるように傾ける場合、通路本体部３００がほぼ水平に保持された状態から、駆動部３５２のモータの回転を反対に回転させて変動板３５１を下方に移動させる。変動板３５１は通路本体部３００の右側を下方に移動する。通路本体部３００は、中央の回動軸３３１を中心に時計方向に回動する。通路本体部３００は、右側が低く、左側が高くなるように傾動する。
【００５６】
このように通路本体部３００は、駆動機構３５０により左右に傾動可能に形成されている。通路本体部３００を傾動させた場合、通路３０５の内部に保持された遊技球は、通路の左右の高い方から低い方に移動する。
【００５７】
上記の通路本体部３００を左右に傾動している間、通路本体部３００の左右の出口部３１０、３２０は閉鎖されている。傾動中の変位部材４１０、４２０は、遊技球の排出が困難な第二状態となるように、変位している。また通路本体部３００の傾動を停止した状態では、通路本体部３００から遊技球を外部に排出するとき以外は、変位部材４１０、４２０は第二状態に変位した状態になっている。図１１及び図１２の通路本体部３００は、遊技球を排出しない状態を示しており、いずれも変位部材４１０、４２０は第二状態に変位している。
【００５８】
通路本体部３００の出口部から遊技球を排出しようとするときは、傾動している通路本体部３００を停止させて行う。そして排出口側の変位部材４１０又は変位部材４２０を第一状態に変位させる。この場合、通路本体部３００の停止位置は、通路本体部３００の遊技球を排出しようとする出口部の排出位置となっている。
【００５９】
図１３は図９（ａ）の通路本体部を傾動させて遊技球を排出する状態を示す説明図である。図１３は通路本体部３００の第二出口部３２０から遊技球を排出する場合を示している。先ず、図１２に示すように、変位部材４１０、４２０を第二状態として、通路本体部３００を左側が低く右側が高く移動するように傾動させる。第二出口部３２０の方が第一出口部３１０よりも低い位置で通路本体部３００の傾動を停止させる。次いで、図１３に示すように、変位機構４５０を作動させて押出部４５１を上方に押し出すように移動させる。第二出口部３２０の変位部材４２０は押出部４５１により上方に移動すると、軸止部４２４を中心に回動して突出部４２２が下方に移動する。突出部４２２は、通路本体部３００内から外部に完全に退避して、第二出口部３２０が開放された第一状態となる。
【００６０】
第二出口部３２０側の変位部材４２０は水平状態にあるときよりも低い位置にあるので、押出部４５１により上方に押し出される量が、水平状態で押し出される場合よりも大きくなり、それに応じて回動する突出部４２２の移動量が大きくなる。
【００６１】
一方、第一出口部３１０側の変位部材４１０は、水平状態にあるときよりも高い位置にあるので、押出部４５１により上方に押し出される量は、水平状態にあるときよりも小さくなり、それに応じて回動する突出部４１２の移動量は、第一出口部側の変位部材４２０の突出部４２２と比較して小さくなる。その結果、図１３に示すように、遊技球排出側となる第二出口部３２０側の変位部材４２０が遊技球の排出が可能な第一状態となるが、第一出口部３１０側の変位部材４１０は、突出部４１２の一部が通路本体部３００の内部に留まり、第一出口部３１０は遊技球の排出が困難な第二状態が維持され、第一状態に変位しないようになっている。この状態は、第一出口部から遊技球の排出が困難或いは不能な状態である。
【００６２】
例えば、従来、通路本体部において予め定められた所定の出口部から遊技球を排出しようと誘導する際に、通路本体部が傾動している場合、通路を転動する遊技球に勢いが加わり、通路本体部を所定の角度傾けて所定の出口部側が低くなるようにして排出しようとすると、出口部に開閉部材が設けられていないと、遊技球に加わった勢いにより、所定の出口部とは逆側の出口部から排出されるということもあり得る。これに対し本実施例では、各出口部に変位部材を設けて、出口部以外の変位部材は、遊技球の排出が困難な第二状態に変位した状態とすることにより、上記のような所定の出口部以外の出口部から遊技球が排出してしまう虞がない。
【００６３】
また通路部材３００を上記した方向と反対側に傾けて、遊技球を第一出口部３１０から排出することが可能である。第一出口部３１０から遊技球を排出する場合について説明する。上記とは反対に、先ず、第一出口部３１０の方が第二出口部３２０よりも下方位置となるように、通路部材３００が傾いた状態で停止させる。次いで、変位機構４５０を作動させて押出部４５１を上方に押し出すように移動させる。第一出口部３１０側の変位部材４１０の突出部４１２は、通路本体部３００内から外部に完全に退避して第一状態となる。このとき第二出口部３２０側の変位部材４２０は、水平状態にあるときよりも高い位置にあるので、押出部４５１により上方に押し出される量は、水平状態にあるときよりも小さくなり、それに応じて、突出部４２２が退避する移動量が第二出口部側の変位部材の突出部４１２の移動量と比較して小さくなる。第二出口部３２０側の変位部材４２０が第一状態となった場合、第一出口部３１０側の変位部材４１０は、突出部４１２の一部が通路本体部３００の内部に留まり、第一出口部３１０は遊技球の排出が困難な第二状態になる。
【００６４】
このように上記の変位機構４５０は、通路本体部３００が水平な状態では、前記複数の変位部材３１０、３２０の変位量が同じであるが、通路本体部３００が傾いた状態では、下方側となる変位部材の変位量が上方側の変位部材よりも大きくなると共に、遊技球の排出時には、排出する出口部の変位部材は、突出部が通路本体部から退避した第一状態の変位量となり、他方の出口部の変位部材は、通路本体部から完全に退避せずに、少なくとも突出部の一部が前記通路本体部に進入して第二状態の変位量となるように、作動部を移動させることが可能である
【００６５】
通路本体部３００の第一出口部３１０又は第二出口部３２０から遊技球を排出する場合、排出しようとする出口部は他方の出口部よりも低い位置のところで停止させて、遊技球の排出を行うことが好ましい。このように、排出位置を、排出しようとする出口部が、他方の出口部よりも低くなった位置で行うと、遊技球は傾いている通路を下方に自重で流下するので、低い位置の出口部から遊技球を容易に排出することが可能である。
【００６６】
通路本体部３００の排出位置は、水平状態に対し左側端部が下方となった位置が、第一出口部３１０の排出位置となっている。また右側端部が下方となった位置が、第二出口部３２０の排出位置となっている。通路本体部３００は、シーソーのように傾動させて、左右の出口部の排出位置を交互に通過するようにできる。通路本体部３００は、駆動機構３５０のモータの回転方向を適宜切換えるように制御することにより、傾動を行うことが可能である。また通路本体部３００は、前記駆動機構３５０を適宜停止することで、前記左右の出口部の各排出位置で任意に停止することが可能である。
【００６７】
変位機構４５０は、押出部４５１を上方向に移動させることで、水平状態では、第一出口部３１０と第二出口部３２０の両方の変位部材４１０、４２０の作用部４１３、４２３を押し出して、通路本体部３００内から外部へ退避する方向に変位するように作用する。これに対し、通路本体部３００が左右のいずれかに傾いた状態では、低い方の出口側となる変位部材は、突出部４１２、４２２が通路本体部３００の内部から退避した第一状態となり、反対側の高い方の出口側となる変位部材は、突出部が一部退避するが、少なくとも一部は前記通路本体部の内部に進入していて、第二状態となる。
【００６８】
変位機構４５０は、一つの部材からなる押出部材４５１が、上下方向である一方向だけの押出し動作で、第一出口部３１０と第二出口部３２０の両方の変位部材４１０、４２０の作用部を押すことが可能に配置されている。具体的には、駆動機構の作用部を近接した位置となるように配置して、変位機構の一つ部品の作動部を同じように作動させるだけで、二つの変位部材を変位させて、低い位置の出口部の変位部材を第一状態とし、高い位置の変位部材を第二状態とすることを可能としている。このように構成することで、複数の変位部材を一つの変位機構で作動させることができるので、各変位部材毎に変位機構を設ける必要がないという利点がある。
【００６９】
図５に示すように、第三連絡通路８３の第一出口部３１０と第二出口部３２０に対応する所定の位置には、回動体演出装置２の第一受入口８４ａと第二受入口８５ａの二つの受入口が設けられている。回動体演出装置２は、第一出口部３１０から第一受入口８４ａへ、第二出口部３２０から第二受入口８５ａへ、それぞれ遊技球が送られるように、二つの受入口が配置されている。
【００７０】
第三連絡通路８３が左に傾いた状態で変位部材が第一状態となると、左側の出口部３１０から回動体演出装置２の第一受入口８４ａへ遊技球が送られる。図５に示すように、第一受入口８４ａは、第一ルート８４の入口である。また第三連絡通路８３が右に傾いた状態で左側の変位部材が第一状態となると、右側の出口部３２０から回動体演出装置２の第二受入口８５ａへ遊技球が送られる。図５に示すように第二受入口８５ａは、第二ルート８５の入口である。
【００７１】
図１４は回動体演出装置を示す正面図である。図１４に示すように、回動体演出装置２は、遊技状態に応じて回動する回動体１０を有する。回動体１０は、回動体演出装置２の最も上方に位置する円盤状に形成された部材であって、前方に向かって段々と低くなるように傾斜している。この回動体１０には、六つの球受部が形成されている。
【００７２】
球受部は、遊技球が通過することが可能な大きさに形成された貫通孔であり、回動体１０の底面がベース部材により支持されている。各球受部は、回動体１０の回動中心から略等距離、かつ、周方向において略等間隔に並ぶように形成されている。この球受部は、五個の特定球受部１１と、一個の特別球受部１２から構成される。五個の特定球受部１１は、特別球受部１２と繋がる一個の特定球受部１１（Ｘ）と、特別球受部１２に対し独立した四個の特定球受部１１（Ｙ）とからなる。遊技球は球受部１１、１２に貯留された状態で回動するようになっている。
【００７３】
回動体１０の底面のベース部材には、所定の特別排出位置に特別玉受部１２の遊技球が排出される特別排出孔が設けられ、所定の特定排出位置に特定球受部１１の遊技球が排出される特定排出孔が設けられ、各玉受部に貯留された遊技球は、回動した後、所定の位置で排出され、どちらの球受部に入球したのかが検知されるようになっている。また上記特別排出孔にはシャッター部材が設けられ、特別球受部１２に貯留された遊技球を特別排出孔から排出しないようにすることが可能に形成されている。
【００７４】
回動体演出装置２は、遊技球が特定球受部１１又は特別球受部１２のいずれかの球受部に入球することを利用して、遊技者にその後の遊技展開を報知する。遊技機１では、大当たりや特別遊技状態に突入するか否かは、予め制御手段による内部抽選によって決定されている。遊技球が入球したときの恩恵は、特定球受部１１よりも特別球受部１２の方が大きく設定されている。例えば、大当たり時や特別遊技状態（例えば確率変動状態）に突入する際等に、特別球受部１２に遊技球が入球し、はずれ時や特別遊技状態に突入しない時等には特定球受部１１に遊技球が入球するように設定されている。
【００７５】
なお、本発明では、抽選に当選した場合（遊技者の受ける恩恵が大きい場合）を総じて「当たり」と、抽選に漏れた場合を総じて「はずれ」と称する。
【００７６】
以下、遊技球が入球口８０から回動体演出装置２まで導かれる経路を説明する。図１に示すように、所定の条件を満たしたときは、羽根部材８０１が可動して入球口８０を開放して、遊技領域に発射された遊技球が入球口８０に入りやすくなる。入球口８０から入球した遊技球は、表示装置９２の左側に配置された第一連絡通路８１内を通って下方に落下する。この第一連絡通路８１の出口は、表示装置９２の左下に配置された第二連絡通路８２の入口に繋がっている。
【００７７】
第一連絡通路８１の出口から出た遊技球は、第二連絡通路８２内に入る。図６に示すように、第二連絡通路８２は、途中で第三連絡通路８３への排出口８２４に繋がる貯留部８２１と、出口８２５に繋がる排出通路８２２に分岐している。貯留部８２１に３個の遊技球が貯留されると、その後の遊技球は分岐部８２０から排出通路８２２を通り出口８２５から出て、アウト口９３３から排出される。
【００７８】
図１１に示すように、貯留部８２１に貯留された３個の遊技球Ｂは、第二連絡通路８２の排出口８２４の手前に設けられた図示されないシャッターの開閉操作により、１個ずつ第三連絡通路８３の通路本体部３００に送り込まれる。通路本体部３００は、両方の出口部３１０、３２０の変位部材４１０、４２０を第二状態に変位させた状態になっていて、遊技球が１個保持された状態で傾動させる。通路本体部３００を所定の回数、左右に傾動させて、一方に傾いた状態で停止させる。
【００７９】
図１２に示すように、通路本体部３００が左に傾いた状態（左側端部が下方に位置した状態）で第一出口部３１０の手前に設けられた変位部材４１０を第一状態に変位させて開状態とすると、第一出口部３１０から遊技球が排出される。一方、通路本体部３００が右に傾いた状態（右側端部が下方に位置した状態）で第二出口部３２０の手前に設けられた変位部材４２０を第一状態に変位させて開状態とすると、右側の第二出口部３２０から遊技球が排出される。このように第三通路部材８３を利用して、遊技球を二つのルートに分岐させて振分けることができる。
【００８０】
図４及び図５に示すように、第三連絡通路８３の左側の第一出口部３１０から排出された遊技球は、第一受入口８４ａから第一ルート８４を通って転動していき、第一落下口８４１から回動体演出装置２の回動体１０に向かって落下する。第一落下口８４１は、回動体１０における特定球受部１１や特別球受部１２が形成された径方向位置の真上に位置する。第一落下口８４１から落下した遊技球は、特定球受部１１及び特別球受部１２両方の全ての球受部に入球する可能性がある。
【００８１】
一方、第三連絡通路８３の右側の第二出口部３２０から排出された遊技球は、第二受入口８５ａから第二ルート８５を通って転動していき、第二落下口８５１から回動体１０に向かって落下する。第二落下口８５１は、回動体１０の中央の略真上に位置するため、第二落下口８５１から落下した遊技球は、回動体１０に形成された凹部の中央に落下する。回動体１０の中央の凹部は、特定球受部１１（Ｘ）および特別球受部１２に連通している。第二落下口８５１から落下した遊技球は、特定球受部１１（Ｘ）又は特別球受部１２のいずれか一方に導入されることになる。
【００８２】
回転体演出装置２の特定球受部１１（Ｘ）又は特別球受部１２のどちらの球受部に遊技球を入球させるかは、予め制御手段が行った当否抽選結果により設定されている。その設定結果により遊技球を所定の球受部に入球させるように、制御手段が回転体演出装置、第二連絡通路、第三連絡通路等の駆動を制御する。具体的な制御としては、回動体１０を駆動するステッピングモータによって回動体１０の回動方向位置を検出するとともに、第三連絡通路８３の傾動を停止する位置や、変位部材を変位させる時期を、各ルートに送られる遊技球の送出タイミングに応じて制御することで、適宜設定することができる。
【００８３】
制御手段が行った実際の当否抽選が「はずれ」であることが決定している場合には、貯留部８２１に貯留された三つの遊技球を全部特定球受部１１に入球させるように制御する。一方、制御手段が行った実際の当否抽選が「当たり」であることが決定している場合には、貯留部８２１に貯留された三つの遊技球のいずれかを特別球受部１２に入球させる。例えば、当たりの場合は、遊技球が第三連絡通路８３の第一出口部３１０から第一ルート８４を通過して特別球受部１２に入球するようにし、はずれの場合は、第三連絡通路８３の第二出口部３２０から第二ルート８５を通過して特定球受部１１に入球させるようにすることができる。また、特別球受部１２に入球させる場合、第二ルート８５を経由させるか、第一ルート８４を経由させるかを選択することもできる。
【００８４】
上記実施例は、パチンコ遊技機を例として説明したが、本発明遊技機は、パチンコ遊技機に限らず、スロットマシン等に適用しても良い。また遊技媒体は、パチンコ球以外に、通路部材を転がり落下することが可能な形状であればよく、例えば球状以外の球類似形状や、コインなどであってもよい。
【００８５】
上記実施例の遊技媒体通路部材は、通路本体部が筒状に形成されているが、通路本体部は上面が開口した樋状に形成されていても良い。
【００８６】
上記実施例の遊技媒体通路部材は、一つの方向に対して交互に傾くように構成され、それに対応して、両側の出口部のいずれか（すなわち二方向）に遊技媒体を誘導する構成であるが、それに限定されるものではなく、三方向以上の方向に傾く構成で、三方向以上の位置で傾くように動作させるように構成してもよい。例えば、通路本体部が回転して所定位置で交互に傾く構成が挙げられる。また本実施例では通路本体部は、細長い筒形状に形成されているが、例えば四方向に通路を形成して、傾動するように構成してもよい。
【００８７】
また本実施例では、通路本体部に遊技媒体を一個ずつ導入して振分けているが、遊技媒体を二個又は三個ずつ通路本体部に入れて振分けるようにしてもよい。また貯留部に貯留する遊技媒体を４個以上として、通路本体部で振分ける個数を任意の個数としてもよい。
【００８８】
本実施例では、通路本体部の遊技媒体の入口部は一つであるが、例えば、通路本体部に複数の入口部を設けて、複数の通路部材により、通路本体部に複数の遊技媒体を導入するように構成してもよい。その際、一つの入口部から遊技媒体を一個ずつ導入するようにしても、複数個ずつ導入するようにしてもいずれでもよい。また、本実施例は、通路本体部３００を傾動する構成にしているが、それに限るものでは無く、例えば、上下や左右等に移動する構成であってもよい。
【００８９】
また上記実施例では、遊技媒体通路部材の変位部材が、第二状態では出口部からの遊技媒体の排出が困難な状態となっているが、変位部材の第二状態を出口部からの遊技媒体の排出が不能な状態としてもよい。
【００９０】
また本発明遊技機の好ましい形態として、下記の構成が挙げられる。
【００９１】
本発明遊技機は、前記変位機構は、前記複数の変位部材の全部の作動部を押出可能な押出部材を備え、前記変位部材は、前記作動部と前記突出部を繋ぐ支持部を備え、前記支持部を回動軸として回動可能であって、前記作動部を押すと前記突出部が前記通路本体部から退避するように支持され、前記押出部材による一方向の押出し動作で、前記複数の変位部材の全部の作動部を押すことが可能となるように、前記押出部材及び前記複数の変位部材が配置されているように構成することができる。上記の構成により、一つの変位機構で複数の変位部材を作動させることができる。そのため、変位機構の部品点数を削減して機構を簡略化することが可能である。
【００９２】
本発明遊技機は、前記遊技媒体通路部材は、少なくとも一部が前記抑制壁となる筒形状に形成され、前記出口部は、前記遊技媒体が通過可能な大きさに、筒形状の一部が開口された開口形状とすることができる。上記の構成により、遊技媒体が出口部以外の部分から排出される虞を低減することが可能である。
【符号の説明】
【００９３】
１  パチンコ遊技機（遊技機）
１１  特定球受部
１２  特別球受部
８２  第二連絡通路
８３  第三連絡通路（遊技媒体通路部材）
８４  第一ルート（第一受入口）
８５  第二ルート（第二受入口）
９０  遊技盤
３００  通路本体部
３０１  入口部
３０５  通路
３１０  第一出口部（左側の出口部）
３２０  第二出口部（右側の出口部）
３５０  通路本体部の駆動機構
４１０  第一出口部側の変位部材
４１２  突出部
４２０  第二出口部側の変位部材
４２２  突出部
４５０  変位部材の変位機構
４５１  押出部
【図１】
2015037448.tif 000003
【図２】
2015037448.tif 000004
【図３】
2015037448.tif 000005
【図４】
2015037448.tif 000006
【図５】
2015037448.tif 000007
【図６】
2015037448.tif 000008
【図７】
2015037448.tif 000009
【図８】
2015037448.tif 000010
【図９】
2015037448.tif 000011
【図１０】
2015037448.tif 000012
【図１１】
2015037448.tif 000013
【図１２】
2015037448.tif 000014
【図１３】
2015037448.tif 000015
【図１４】
2015037448.tif 000016